(57)【要約】【目的】ＥＬ素子の温度上昇を抑え、ＥＬ素子間の温度ムラを低減して画面輝度ムラを低減することができるＥＬディスプレイ装置を提供する。【構成】本来の映像書込選択パルスであるＳＴＶによって映像が書き込まれる時点の１０Ｈ期間前に、黒書込選択パルスであるＳＴＢＶが黒垂直シフトレジスタ１５に与えられる。ＳＴＢＶが黒垂直シフトレジスタ１５に与えられると、１Ｈごとに黒書込ラインが選択されていく。選択された黒書込ラインにおいては、黒表示スイッチ１２がＯＮになり、これに接続されているコンデンサＣの電荷が抜かれるので非発光状態（黒表示状態）となる。黒表示となったラインにおいては１０Ｈ期間後に次の映像が書き込まれることになる。【選択図】    図１
2004246064.tif 000002
【特許請求の範囲】
【請求項１】
ＥＬ素子を映像信号に基づいて駆動するＥＬディスプレイ装置において、前記ＥＬ素子から成る各画素部に設けられたコンデンサの電荷を抜き取って各画素を黒表示させるスイッチと、前記スイッチを各画素部に対する次映像書込の所定時間前のタイミングでＯＮ操作する制御手段と、を備えたことを特徴とするＥＬディスプレイ装置。
【請求項２】
請求項１に記載のＥＬディスプレイ装置において、黒表示用垂直シフトレジスタが設けられ、この黒表示用垂直シフトレジスタに所定タイミングで黒書込スタート信号が入力されるように構成されたことを特徴とするＥＬディスプレイ装置。
【発明の詳細な説明】
【０００１】
【産業上の利用分野】
この発明は、ＥＬ（エレクトロルミネッセンス）素子を映像信号に基づいて駆動するＥＬディスプレイ装置に関する。
【０００２】
【従来の技術】
有機ＥＬ素子は、例えば、図３に示すように、ガラス基板１１上に、ＩＴＯ透明陽極１２、ホール輸送層１３、有機発光層１４、電子輸送層１５、陰極１６がこの順に積層された構造を有する。電源１７によって陰極１６および陽極１２からそれぞれ電子と正孔（ホール）が注入されると、これら電子と正孔が有機発光層１４で再結合することにより有機分子が励起状態となり、もとの状態（基底状態）に戻ろうとするときに有機発光層１４から光が放出される。電子とホールが再結合した際のエネルギーの全てが光として外部に放出されるわけではなく、一部は熱となり有機ＥＬ素子の温度を上げる。有機ＥＬ素子の温度が上がると電子及びホールの移動度が下がって輝度が低下する。
【０００３】
有機ＥＬ素子を利用した有機ＥＬディスプレイは、ＬＣＤと同様にパッシブマトリックス駆動型とアクティブマトリックス駆動型に大別できる。パッシブ駆動型は、陽極と陰極が交差した部分が発光可能となる単純マトリクス構成であり、垂直ライン選択時のみ点灯する。これに対し、アクティブ駆動型は、図４に示すように、各有機ＥＬ素子３０にスイッチング用のＴＦＴ３１を配置して成り、画素（行）を選択する水平（Ｈ）シフトレジスタ２１およびライン（列）を選択する垂直（Ｖ）シフトレジスタ２２によって選択された有機ＥＬ素子３０にそのときの映像信号が書き込まれ、各有機ＥＬ素子３０に取り付けられたコンデンサＣによって映像信号成分（電圧）が保持されて各有機ＥＬ素子３０は所定期間点灯する（特許文献１参照）。
【０００４】
ここで、水平方向画素数が３２０で垂直方向画素数が２４０である有機ＥＬディスプレイにＮＴＳＣの映像を表示する場合、垂直シフトレジスタ２２には、図５に示すように、ライン番号２２及びライン番号２８５に対応する水平周期のパルスＣＫＶ（垂直制御クロック）のタイミングで、ディスプレイの１番上のラインが選択されるようにＳＴＶ（垂直スタート信号）が入力される。有効映像期間を水平期間の８０％とすると、水平シフトレジスタ２１には水平周期の３２０／０．８＝４００倍のパルスＣＫＨ（水平制御クロック）を入力し、有効映像期間の開始直後にディスプレイの各ラインの一番左の画素が選択されるようにＳＴＨ（水平スタート信号）を入力する。
【０００５】
【特許文献１】
特開２００２−４０９６３号公報
【０００６】
【発明が解決しようとする課題】
上記のごとく駆動される有機ＥＬディスプレイに例えば黒地に白の格子パターンの画像をしばらく表示し続けていると、黒を表示している有機ＥＬ素子はエネルギーを全く受け取っていないので温度は上昇せず、白を表示している有機ＥＬ素子は常時エネルギーを受け取り続けており、受け取ったエネルギーの一部が熱となるので温度が上昇し続けて輝度が下がってしまう。このままでは画像的には違和感はないが、この画像のあとに例えば一面灰色の画像を表示しようとすると、温度が上昇した有機ＥＬ素子は温度が上昇しなかった有機ＥＬ素子に比べて輝度が低くなっているので、白地に黒の格子パターンが薄く見えてしまう。
【０００７】
この発明は、上記の事情に鑑み、ＥＬ素子の温度上昇を抑え、ＥＬ素子間の温度ムラを低減して画面輝度ムラを低減することができるＥＬディスプレイ装置を提供することを目的とする。
【０００８】
【課題を解決するための手段】
この発明のＥＬディスプレイ装置は、上記課題を解決するために、ＥＬ素子を映像信号に基づいて駆動するＥＬディスプレイ装置において、前記ＥＬ素子から成る各画素部に設けられたコンデンサの電荷を抜き取って各画素を黒表示させるスイッチと、前記スイッチを各画素部に対する次映像書込の所定時間前のタイミングでＯＮ操作する制御手段と、を備えたことを特徴とする。
【０００９】
上記の構成であれば、前記の黒表示させるスイッチのＯＮ操作によって各ＥＬ素子に所定期間の非発光状態（黒表示状態）を形成させることができるので、全ＥＬ素子に対して冷却期間が与えられることになる。これにより、各ＥＬ素子の温度上昇が抑えられ、ＥＬ素子間の温度ムラが低減されてディスプレイの画面輝度ムラが低減される。そして、上記の非発光状態は各画素部に対する次映像書込の所定時間前において形成されるので、ディスプレイ上のどの領域でも一定の冷却期間及び映像表示時間が与えられることになる。
【００１０】
上記構成のＥＬディスプレイ装置において、黒表示用垂直シフトレジスタが設けられ、この黒表示用垂直シフトレジスタに所定タイミングで黒書込スタート信号が入力されるように構成されていてもよい。
【００１１】
【発明の実施の形態】
以下、この発明の実施形態の有機ＥＬディスプレイ装置を図１及び図２に基づいて説明していく。
【００１２】
図１はこの実施形態の有機ＥＬディスプレイ装置を示した回路図である。この有機ＥＬディスプレイ装置は、各有機ＥＬ素子１０にスイッチング用のＴＦＴ１１を配置して成り、画素（行）を選択する水平（Ｈ）シフトレジスタ１３およびライン（列）を選択する垂直（Ｖ）シフトレジスタ１４によって選択された有機ＥＬ素子１０にそのときの映像信号が書き込まれ、各有機ＥＬ素子１０に取り付けられたコンデンサＣによって映像信号成分（電圧）が保持されて各有機ＥＬ素子１０が所定期間点灯する構造になっている。そして、この発明の特徴として、各画素部に黒表示スイッチ１２が前記コンデンサＣに対して並列に接続された構造を成し、黒表示スイッチ１２が黒垂直シフトレジスタ１５によってＯＮ／ＯＦＦ制御される構成となっている。
【００１３】
図示しないタイミングコントローラから水平シフトレジスタ１３にはＣＫＨ（水平制御クロック）及びＳＴＨ（水平スタート信号）が与えられ、垂直シフトレジスタ１４にはＣＫＶ（垂直制御クロック）及びＳＴＶ（垂直スタート信号）が与えられ、黒垂直シフトレジスタ１５にはＣＫＢＶ（垂直黒制御クロック）及びＳＴＢＶ（垂直黒スタート信号）が与えられる。
【００１４】
ここで、水平方向画素数が３２０で垂直方向画素数が２４０である有機ＥＬディスプレイにＮＴＳＣの映像を表示する場合、タイミングコントローラの制御によって、垂直シフトレジスタ１４には、図２（ａ）（ｂ）に示すように、ライン番号２２及びライン番号２８５に対応する水平周期のパルスＣＫＶのタイミングで、ディスプレイの１番上のラインが選択されるようにＳＴＶが入力される。そして、有効映像期間を水平期間の８０％とすると、水平シフトレジスタ２１には水平周期の３２０／０．８＝４００倍のパルスＣＫＨを入力し、有効映像期間の開始直後にディスプレイの各ラインの一番左の画素が選択されるようにＳＴＨを入力する。
【００１５】
更に、タイミングコントローラは、上記図２に示すタイミングでＳＴＢＶを黒垂直シフトレジスタ１５に与える。図２に示す例では、本来の映像書込選択パルスであるＳＴＶによって映像が書き込まれる時点の１０Ｈ期間前に、黒書込選択パルスであるＳＴＢＶを黒垂直シフトレジスタ１５に与えている。このＳＴＢＶが黒垂直シフトレジスタ１５に与えられると、１Ｈごとに黒書込ラインが選択されていくことになる。選択された黒書込ラインにおいては、黒表示スイッチ１２がＯＮになり、これに接続されているコンデンサＣの電荷が抜かれるので非発光状態（黒表示状態）となる。黒表示となったラインにおいては１０Ｈ期間後に次の映像が書き込まれることになる。
【００１６】
このように、１フィールドに１０Ｈ期間の黒表示が各画素において行なわれることになり、この１０Ｈ期間は有機ＥＬ素子１０は全くエネルギーを受け取っていないので、温度は下降し、白を表示し続けた場合に比べて温度上昇を抑制できるので、輝度低下による輝度ムラを低減することができる。上記例示した１０Ｈ期間の黒表示では、有機ＥＬディスプレイの全体の輝度は当該黒表示を行なわない場合に比べ５０５／５２５≒９６．２％であり、輝度の低下は殆ど気にならない。
【００１７】
なお、上記実施形態では、水平方向画素数が３２０で垂直方向画素数が２４０である有機ＥＬディスプレイにＮＴＳＣの映像を表示する場合について例示したが、このような画素数に限るものではなく、また、ＮＴＳＣ映像の表示に限定されるものでもない。また、上記の例では、１０Ｈ期間の黒表示を行なうこととしたが、かかる期間に限定されるものではない。
【００１８】
【発明の効果】
以上説明したように、この発明によれば、全ＥＬ素子に非発光状態を所定期間形成させるので、全ＥＬ素子に対して冷却期間が与えられることになり、ＥＬ素子の温度上昇が抑えられ、ＥＬ素子間の温度ムラが低減されてディスプレイの画面輝度ムラが低減されるという効果を奏する。
【図面の簡単な説明】
【図１】この発明の実施形態の有機ＥＬディスプレイ装置を示した回路図である。
【図２】同図（ａ）（ｂ）は、図１の有機ＥＬディスプレイ装置への各駆動信号の波形を示した説明図である。
【図３】有機ＥＬ素子を示した断面図である。
【図４】アクティブ駆動型の有機ＥＬディスプレイ装置を示した回路図である。
【図５】従来の有機ＥＬディスプレイ装置への各駆動信号の波形を示した説明図である。
【図６】有機ＥＬディスプレイ装置に供給される１水平期間の映像信号と各駆動信号との関係を示した説明図である。
【符号の説明】
１０    有機ＥＬ素子
１１    ＴＦＴ
１２    黒表示スイッチ
１３    水平シフトレジスタ
１４    垂直シフトレジスタ
１５    黒垂直シフトレジスタ
【図１】
2004246064.tif 000003
【図２】
2004246064.tif 000004
【図３】
2004246064.tif 000005
【図４】
2004246064.tif 000006
【図５】
2004246064.tif 000007
【図６】
2004246064.tif 000008